(57)【特許請求の範囲】
【請求項１】
自車両の走行上における障害が発生する可能性を判断する障害発生予測手段と、
運転者が正面を見ているときに見ることができず、脇見をしたときに見える位置で運転者に対して警告を与える脇見警告手段と、
運転者が正面を見ているとき、あるいは運転者の視線方向に関わりなく運転者に対して認知可能に設けられ、運転者に対して警告する障害警告手段と、
上記障害発生予測手段により自車両の走行上における障害の発生の可能性が第２レベル以上あると判断された場合に、上記脇見警告手段を作動させる脇見警告制御手段と、
上記障害発生予測手段により自車両の走行上における障害の発生の可能性が上記第２レベルよりも高い第１レベル以上であると判断された場合に、上記障害警告手段を作動させる障害警告制御手段と
を備えたことを特徴とする車両用警告装置。
【請求項２】
上記脇見警告手段は、運転者が正面を見ているときに見ることができず、脇見をしたときに見える位置に光を照射する、あるいは脇見をしたときに見える位置で発光する光警告手段であることを特徴とする請求項１記載の車両用警告装置。
【請求項３】
上記光警告手段は、運転席あるいは助手席の足元位置に光を照射することを特徴とする請求項２記載の車両用警告装置。
【請求項４】
上記光警告手段は、車両のインストルメントパネルの下方に発光部を備え、その発光部から運転席あるいは助手席の足元位置に光を照射することを特徴とする請求項３記載の車両用警告装置。
【請求項５】
上記光警告手段は、運転席と助手席との間の前方正面に設けられる中央操作パネル部に発光部を備えたことを特徴とする請求項２ないし請求項４の何れかに記載の車両用警告装置。
【請求項６】
上記光警告手段は、運転席と助手席との間のコンソール部に光を照射することを特徴する請求項２ないし請求項５の何れかに記載の車両用警告装置。
【請求項７】
上記光警告手段は、上記中央操作パネル部の下方に発光部を備え、その発光部から後方のコンソール部に向けて光を照射することを特徴とする請求項６記載の車両用警告装置。
【請求項８】
上記光警告手段は、前方ピラーの近傍に発光部を備えたことを特徴とする請求項２ないし請求項７の何れかに記載の車両用警告装置。
【請求項９】
上記光警告手段は、赤色の光を発することを特徴とする請求項１ないし請求項８の何れかに記載の車両用警告装置。
【発明の詳細な説明】
【技術分野】
【０００１】
本発明は、自車両の走行上における障害が発生する可能性を判断し、障害発生の可能性があると判断されたとき、運転者に対して警告する車両用警告装置に関する。
【背景技術】
【０００２】
従来から、車両の前方に存在する障害物を検出して、その障害物に対する自車両の衝突の可能性を演算し、衝突の可能性がある場合に運転者に対して警告を行う車両用警告装置が知られている。こうした車両用警告装置においては、自車両が前方車両と急接近したときに運転席の正面に設けられたディスプレイやブザーを使って運転者に対して警告を発する。
ところが、こうした車両用警告装置では、単に自車両と前方車両との接近状態に基づいて警報するものであるため、運転者がその状態に気づいているか否かに関わらず警報を発する。従って、運転者がそうした接近状態に気がついていない場合には有効ではあるものの、運転者が接近状況を認識して許容している場合には、自車両が前方車両に接近するたびに警報が発せられて逆にわずらわしさに繋がってしまう。
【０００３】
そこで、例えば特許文献１のものでは、カメラにより運転者の運転状態を監視し、運転者の脇見が検出されたときには、検出されていないときに比べて早く警報を発するようにしている。
【特許文献１】特開２００４−１４５７２５号
【発明の開示】
【０００４】
しかしながら、特許文献１のものでは、運転者の運転状態を監視するカメラの設置や、カメラの撮像画像から運転者の状態（顔の位置、目の位置等）を解析するための高度な画像処理技術が必要とされ、警告装置としてのシステムが非常に大掛かりなものとなってしまい、低コストでの実施が難しい。
【０００５】
本発明の目的は、上記問題に対処するためになされたもので、簡単なシステムで運転者が脇見をしているときに注意喚起を与えて、自車両の走行上における障害の発生を認知させるようにすることにある。
【０００６】
上記目的を達成するために、本発明の特徴は、自車両の走行上における障害が発生する可能性を判断する障害発生予測手段と、運転者が正面を見ているときに見ることができず、脇見をしたときに見える位置で運転者に対して警告を与える脇見警告手段と、運転者が正面を見ているとき、あるいは運転者の視線方向に関わりなく運転者に対して認知可能に設けられ、運転者に対して警告する障害警告手段と、上記障害発生予測手段により自車両の走行上における障害の発生の可能性が第２レベル以上あると判断された場合に、上記脇見警告手段を作動させる脇見警告制御手段と、上記障害発生予測手段により自車両の走行上における障害の発生の可能性が上記第２レベルよりも高い第１レベル以上であると判断された場合に、上記障害警告手段を作動させる障害警告制御手段とを備えたことにある。
【０００７】
上記構成を有する本発明によれば、障害発生予測手段により自車両の走行上における障害の発生の可能性が低い段階の第２レベル以上あると判断された場合に、脇見警告制御手段が脇見警告手段を作動させる。このとき、運転者は、正面を見ていれば脇見警告手段の作動に気がつかず、脇見していた場合にのみ脇見警告手段の作動に気づく。
従って、脇見運転をしている運転者には注意喚起を与えるため、脇見運転に対する安全性が向上する。また、正面を向いて障害発生の可能性を認知できる運転者に対しては注意喚起を与えないため、警告が運転者にとって煩わしいものとはならない。
運転者が正面を向いている場合であっても、自車両の走行上における障害の発生の可能性が高い場合には、運転者に対して警告する必要がある。そこで、本発明では、障害の発生の可能性が第２レベルよりも高い第１レベル以上あると判断された場合には障害警告手段が作動して運転者に対して警告する。この場合、運転者にとって煩わしいものとはならない。
従って、正面を向いている運転者にとっては必要以上に早いタイミングでの警告を行わず、脇見運転者に対しては早めに警告することで、運転者の状況に応じた適正なタイミングの注意喚起を行うことができる。しかも、運転者の運転状態を監視するシステムが必要なく低コストにより実施できる。
【０００８】
本発明の他の特徴は、上記脇見警告手段は、運転者が正面を見ているときに見ることができず、脇見をしたときに見える位置に光を照射する、あるいは脇見をしたときに見える位置で発光する光警告手段であることにある。
【０００９】
この発明によれば、障害発生予測手段により自車両の走行上における障害の発生の可能性があると判断された場合に、脇見をしている運転者に対して、光により注意喚起を与える。この場合、光警告手段は、運転者が脇見をしている位置に光を照射してもよく、あるいは運転者が脇見をしている位置に発光部（光源）を配置してもよい。
従って、運転者は、脇見をしていたときに、この光により注意喚起を受ける。
【００１０】
本発明の他の特徴は、上記光警告手段は、運転席あるいは助手席の足元位置に光を照射することにある。
この場合、上記光警告手段は、車両のインストルメントパネルの下方に発光部を備え、その発光部から運転席あるいは助手席の足元位置に光を照射するとよい。
【００１１】
運転者は、車両運転中に自身の足元あるいは助手席の足元を見ることがある。例えば、足元に物を落とした場合や、助手席の足元に物を置いたりするケースである。こうしたケースにおいては、運転者の視線がそちらに移動して脇見運転となってしまうが、本発明によれば、走行上における障害発生の可能性が所定レベル以上あると判断された場合には、運転者の視野内に光が入ってくる。この結果、運転者が脇見をしている場合にのみ、光により運転者に警告を与えることができる。
【００１２】
本発明の他の特徴は、上記光警告手段は、運転席と助手席との間の前方正面に設けられる中央操作パネル部に発光部を備えたことにある。
【００１３】
運転者は、車両走行中において、中央操作パネル部に設けられた操作スイッチ（例えば、オーディオやエアコン等の操作スイッチ）を操作することがある。こうしたケースでは、運転者の視線がそちらに移動して脇見運転となってしまうが、本発明によれば、走行上における障害発生の可能性が所定レベル以上あると判断された場合には、中央操作パネル部に備えた発光部が発光するため運転者に対して警告を与えることができる。
【００１４】
本発明の他の特徴は、上記光警告手段は、運転席と助手席との間のコンソール部に光を照射することにある。
この場合、上記光警告手段は、上記中央操作パネル部の下方に発光部を備え、その発光部から後方のコンソール部に向けて光を照射するとよい。
【００１５】
運転者は、運転席と助手席との間のコンソール部に物を置いたりして、走行中にコンソール部を覗き込むことがある。こうしたケースでは、運転者の視線がそちらに移動して脇見運転となってしまうが、本発明によれば、走行上における障害発生の可能性が所定レベル以上あると判断された場合には、コンソール部に光が照射されるため運転者に対して警告を与えることができる。
【００１６】
本発明の他の特徴は、上記光警告手段は、前方ピラーの近傍に発光部を備えたことにある。
【００１７】
運転者は、車両走行中において、左右方向に視線を向けることがある。こうしたケースでは、運転者の視線がそちらに移動して脇見運転となってしまうが、本発明によれば、走行上における障害発生の可能性があると判断された場合には、前方ピラーの近傍に備えた発光部が発光するため運転者に対して警告を与えることができる。
尚、発光部が設けられる前方ピラーの近傍とは、前方ピラーそのものも含むものであり、また、発光部は、前方ピラーの左右いずれか、あるいは両方に設けたものであってもよい。
【００１８】
本発明の他の特徴は、上記光警告手段は、赤色の光を発することにある。
例えば、走行上における障害発生の可能性があると判断される代表的なケースとして、先行車両のブレーキ操作により先行車両との車間距離が短くなった場合がある。こうしたケースでは、先行車両のストップランプが赤く点灯するため、運転者はその点灯により注意喚起されるが、脇見をしているとストップランプの点灯に気がつかない。
そこで本発明では、脇見時にこの赤色光を運転者に視認させることで、運転者に注意喚起するだけでなく、先行車両のブレーキ操作と光警告手段の赤色発光との関係を容易に理解させることができる。例えば、先行車両がブレーキ操作して車間距離が短くなると、そのストップランプの赤い光が自車両内に漏れてくるといったイメージを運転者に与えて、光警告手段の発光により前方車両に接近していることを認知させることができる。
【発明を実施するための最良の形態】
【００２１】
以下、本発明の一実施形態に係る車両用警告装置について図面を用いて説明する。図１は、一実施形態としての車両用警告装置を概略的に示している。
本実施形態の車両用警告装置は、自車両の走行上における障害が発生する可能性があるときに、その旨を運転者に警告するもので、ＣＰＵ，ＲＡＭ，ＲＯＭ，タイマなどからなるマイクロコンピュータを主要部として備える電子制御ユニット２０（以下、ＥＣＵ２０と呼ぶ）と、自車両の前方に存在する障害物（先行車両）を検知するレーダセンサ３０と、車両の走行速度を検出する車速センサ４０と、走行上における障害が発生する可能性があるとき運転者に警報を発する障害警告装置５０と、運転者が正面視しているときには運転者には見えない位置に光を照射、あるいはその位置で点灯する脇見警告装置６０とを備える。
【００２２】
レーダセンサ３０は、ミリ波や赤外線を利用したレーダ装置によって構成され、車両の前方にあって車両の水平方向に存在する先行車両までの距離に応じた信号をＥＣＵ２０に出力する。このレーダ装置は、車両の前端部（例えば、フロントグリル付近）に組みつけられており、鉛直方向に伸びる回転軸を中心にして回転可能なレーダアンテナを備えている。レーダアンテナは、指向性を有するアンテナであり、ＥＣＵ２０からの指示に基づいて、回転軸を中心として所定の角度範囲内で回転してミリ波や赤外線を送信するとともに、所定の角度範囲内に存在する先行車両によって反射されたミリ波や赤外線を受信するように構成される。
これにより、レーダセンサ３０は、レーダアンテナがミリ波や赤外線を送信し、反射されたミリ波や赤外線を受信するまでの時間差を、所定の角度範囲内に存在する先行車両からの距離に応じた信号としてＥＣＵ２０に出力する。ＥＣＵ２０は、レーダセンサ３０から検出信号を取得すると、その取得した信号に基づいて自車両と先行車両との間の距離Ｌを検出する。
【００２３】
車速センサ４０は、自車両の走行速度に応じた周期でパルス信号をＥＣＵ２０に出力する。ＥＣＵ２０は、この出力されたパルス信号により自車両の車速を検出する。
【００２４】
障害警告装置５０は、自車両の前方に障害物が接近しているときに運転者に対して警告を発するもので警告表示ランプ５１と警告ブザー５２とを備える。警告表示ランプ５１は、インストルメントパネル７０に設けられる車速等の各種情報が表示されるディスプレイ装置７１の中に設けられるＬＥＤで、自車両の前方に障害物が接近しているときに運転者に対して点滅表示（点灯表示でもよい）して警告を発する。この警告表示ランプ５１は、運転者が正面を見ながら点滅表示が認知できる位置に設けられる。また、警告ブザー５２は、車室内の任意の場所に設けられ、警告表示ランプ５１が作動するとき（点滅表示が行われるとき）に、同時に作動して警告音を発する。従って、運転者は、運転中に正面を見ていなくても、このブザー音により障害発生の可能性を認識することができる。
障害警告装置５０は、電源ラインにスイッチング素子５３を備え、ＥＣＵ２０からの警告報知信号によりスイッチング素子５３をオンして、警告表示ランプ５１と警告ブザー５２とを同時に作動させるように構成される。
【００２５】
脇見警告装置６０は、運転者が運転席に座って正面視したときに運転者から見えない位置に設けられる光照射器６１を備えたものである。この光照射器６１は、３つの足元照射ランプ６１ａ，６１ｂ，６１ｃと、２つのサイドランプ６１ｄ，６１ｅと、中央パネル表示ランプ６１ｆと、コンソール照射ランプ６１ｇとから構成される。
本実施形態においては、光照射器６１の各ランプとして、指向性を有し赤色光を発するＬＥＤが用いられる。
【００２６】
３つの足元照射ランプ６１ａ，６１ｂ，６１ｃは、それぞれインストルメントパネル７０の下方位置に設けられる。図２、図３には、各足元照射ランプ６１ａ，６１ｂ，６１ｃの取付位置をその符号を付して破線にて示す。図示するように、車幅方向左端に足元照射ランプ６１ａが、車幅方向右端に足元照射ランプ６１ｂが、車幅方向中央運転席側に足元照射ランプ６１ｃが配設される。各足元照射ランプ６１ａ，６１ｂ，６１ｃは、図４に示すように、運転席あるいは助手席の床に赤色光をスポット状に当てるように斜め下後方に向けて光を照射する。このため、足元照射ランプ６１ａ，６１ｂ，６１ｃが点灯しているときには、運転者にとっては光源が見えず間接照明のように足元を赤く照らす。
【００２７】
サイドランプ６１ｄ，６１ｅは、左右の前方ピラー７２の後方側となるドア内側面７３に設けられ、通電時に赤色光を運転席側に向けて照射する。この場合、サイドランプ６１ｄ，６１ｅは指向性を有するため、後部座席の乗員にとってこの光を認識することができない。尚、図２中においては、右側ドアに設けられたサイドランプ６１ｄを示しているが、左側ドアにも同様にサイドランプ６１ｅが設けられる。
【００２８】
中央パネル表示ランプ６１ｆは、運転席と助手席との間の前方正面でオーディオ、エアコン等の操作スイッチや、灰皿、カップホルダー等を備えた中央操作パネル７４内の任意の位置に設けられ、通電時に例えば「前車接近」といった注意文字の記された表示プレートの裏面から光を照射して、その注意文字を浮き立たせる。
【００２９】
コンソール照射ランプ６１ｇは、中央操作パネル７４の下方で奥まった位置に設けられ、指向性を有するＬＥＤを使って赤色光を後方に照射する。本実施形態の車両においては、運転席と助手席との間に形成されるコンソール部８０は、後方側にコンソールボックス８１が設けられ、前方側、つまりコンソールボックス８１の手前側が空間部８２となっている。従って、コンソール照射ランプ６１ｇの赤色光は、図５に示すように、この空間部８２を通過してコンソールボックス８１の正面を照射する。
【００３０】
脇見警告装置６０は、図１に示すように、電源ラインにスイッチング素子６２を備え、ＥＣＵ２０からの脇見警告信号によりスイッチング素子６２をオンして、足元照射ランプ６１ａ，６１ｂ，６１ｃと、サイドランプ６１ｄ，６１ｅと、中央パネル表示ランプ６１ｆと、コンソール照射ランプ６１ｇとを点灯するように構成される。
また、電源ラインには、ユーザーが任意に脇見警告ランプを追加接続するための２組の接続端子ｔ１，ｔ２を備えている。
【００３１】
ここで、運転者が正面を見ているときに見ることができない範囲について図３を用いて説明する。
図３において、領域Ａ、領域Ｂは、どちらも運転者が正面（中心位置Ｏ）と同時に視認できる範囲であり、領域Ａは、運転者が目を動かすだけで見える範囲、領域Ｂは、頭を動かせば見える範囲を表す。
一般に、運転者が目を動かすだけで見える領域Ａは、正面中心位置Ｏに対して上下１４°、左右２７°程度である。また、運転者が頭を動かせば見える領域Ｂは、正面中心位置Ｏに対して上下４５°、左右７５°程度である。
正面を見ることができない状態となる脇見とは、この範囲から外の範囲を見ることをいう。
従って、上述した脇見警告装置６０の光照射器６１は、この領域の外に設けられることとなる。
【００３２】
次に、自車両の走行上における障害が発生する可能性を判断して運転者に警告する警告制御処理について説明する。図６は、ＥＣＵ２０実行する走行障害警告制御ルーチンを表し、ＥＣＵ２０のＲＯＭ内に制御プログラムとして記憶されている。
この走行障害警告制御ルーチンは、図示しないイグニッションスイッチの投入により起動し、所定の短い周期で繰り返し実行される。
【００３３】
本制御ルーチンが起動すると、まず、ステップＳ１１において、車速センサ４０で検出された車速Ｖｘを表す信号を入力する。
続いて、ステップＳ１２において、入力した車速Ｖｘが所定速度Ｖ０（例えば、時速５Ｋｍ／時）以上であるか否かを判断し、Ｖｘ＜Ｖ０である場合には（Ｓ１２：ＮＯ）、自車両が走行中ではないと判断して、本制御ルーチンを一旦終了する。
【００３４】
自車両が走行中である場合には、ステップＳ１２の判断が「ＹＥＳ」となり、ステップＳ１３に処理を進める。このステップＳ１３では、レーダセンサ３０からの出力信号に基づいて、自車両の前方に存在する衝突対象物（例えば先行車両、以下、先行車両と呼ぶ）との距離Ｌ（車間距離Ｌ）を入力する。
続いて、ステップＳ１４において、先行車両と自車両との相対速度ＶＲを算出する。
レーダセンサ３０は、自車両から先行車両までの車間距離Ｌを表す信号を所定の周期で出力する。従って、ＥＣＵ２０は、レーダセンサ３０から得た車間距離データを直近の所定時間分だけ記憶しておき、所定時間前の前回車間距離Ｌｏｌｄと、最新の今回車間距離Ｌｎｅｗとの差分を所定時間Δｔで除算することにより相対速度ＶＲを算出する。
ＶＲ＝（Ｌｏｌｄ−Ｌｎｅｗ）／Δｔ
尚、前回車間距離Ｌｏｌｄは、本制御ルーチンの開始時には図示しない初期設定処理により「０」に設定されている。この場合、本制御ルーチンの初回に演算される相対速度ＶＲは負の値となり、後述のステップＳ１５にて「ＮＯ」と判定されるため実質的な処理が行われず問題とならない。
【００３５】
続いて、ステップＳ１５において、相対速度ＶＲが０より大きいか否かを判断する。相対速度ＶＲが正でなければ本制御ルーチンを一旦終了する。これは、相対速度ＶＲが正でなければ、自車両が先行車両に衝突する可能性がない、つまり走行障害となり得ないので、以下の衝突可能性レベルを判断する必要がないからである。
【００３６】
相対速度ＶＲが正であれば、ステップＳ１５の判断が「ＹＥＳ」となり、次に、ステップＳ１６に処理を進める。このステップＳ１６では、自車両が先行車両に衝突するまでの衝突予測時間Ｔを算出する。
Ｔ＝Ｌ／ＶＲ
この衝突の可能性の予測は、種々の変数に基づく予測式が採用され得るが、本実施形態においては、衝突予測時間Ｔの大きさに応じて、衝突の可能性のレベルを判断する。
【００３７】
そこで、ステップＳ１７において、衝突予測時間Ｔが第１基準時間Ｔ１以下であるか否かを判断する。本実施形態においては、自車両の走行上における障害の発生の可能性のレベル（自車両が先行車両に衝突する可能性レベル）を３段階に分け、衝突予測時間Ｔにより障害発生可能性レベルを判断する。つまり、衝突予測時間Ｔが第１基準時間Ｔ１以下である場合（Ｔ≦Ｔ１）には障害発生可能性が高いレベルにあると判断し（以下、このレベルを第１レベルと呼ぶ）、衝突予測時間Ｔが第１基準時間Ｔ１より長くかつ第２基準時間Ｔ２以下である場合（Ｔ１＜Ｔ≦Ｔ２）には障害発生可能性が高くはないが先行車両に注意して運転する必要があるレベルにあると判断し（以下、このレベルを第２レベルと呼ぶ）、衝突予測時間Ｔが第２基準時間Ｔ２より長い場合（Ｔ＞Ｔ２）には障害発生可能性が低いレベルにあると判断する（以下、このレベルを第３レベルと呼ぶ）。
【００３８】
従って、ステップＳ１７では、衝突予測時間Ｔに基づいて障害発生可能性が高い第１レベルにあるか否かを判断している。
ステップＳ１７の判断が「ＮＯ」、つまり、衝突予測時間Ｔが第１基準時間Ｔ１より長い場合には、ステップＳ１８に処理を進め、衝突予測時間Ｔが第２基準時間Ｔ２以下か否かを判断する。ステップＳ１８において、衝突予測時間Ｔが第２基準時間Ｔ２よりも長いと判断した場合には、障害発生可能性が低い第３レベルにあるため本制御ルーチンを一旦終了する。
【００３９】
本制御ルーチンは、所定の短い周期で繰り返し実行される。従って、走行中、常に先行車両との車間距離Ｌおよび相対速度ＶＲを検出し、それに基づいて先行車両との衝突予測時間Ｔを算出して障害発生の可能性レベルを判断している。
こうした判断を繰り返すうちに、自車両が先行車両に近づいて衝突予測時間Ｔが第２基準時間Ｔ２にまで低下すると、つまり、障害発生可能性が第２レベルに達すると、ステップＳ１８の判断が「ＹＥＳ」となり、ＥＣＵ２０は、以下のステップＳ１９の処理を行う。
【００４０】
ＥＣＵ２０は、ステップＳ１９において、脇見警告装置６０のスイッチング素子６２をオンして、光照射器６１の各ランプ６１ａ〜６１ｇを点灯する。障害発生可能性が第２レベルの場合、運転者が正面に注意して運転しているケースにおいては、運転者に注意喚起する必要はないものの、運転者が脇見運転している場合には、早めに運転者に注意喚起して運転者を前方に向かせる必要がある。そこで、運転者が脇見をしているときにのみ運転者に視認できる位置に光を照射する。
【００４１】
運転者は、車両運転中に自身の足元あるいは助手席の足元を見ることがある。例えば、足元に物を落とした場合や、助手席の足元に物を置いたりするケースである。こうしたケースにおいては、運転者の視線がそちらに移動して脇見運転となってしまうが、図４に示すように、足元照射ランプ６１ａ，６１ｂ，６１ｃが足元を点灯して運転者の注意をひく。
この場合、赤色光が前方から後方に照射されることから、運転者は、あたかも先行車両のストップランプの光が、自車両の隙間（前方に形成された孔）から漏れてきているかのように感じる。従って、運転者は、この足元照射ランプ６１ａ，６１ｂ，６１ｃによる赤色光の照射から、先行車両がブレーキをかけていると直感的に判断し、正面に視線を移すようになる。
【００４２】
そして、運転者は、こうした経験を重ねることにより、この光照射器６１の作動が先行車両が接近しているときの警告であることに気づき、それ以降は、脇見運転時に光照射を見たときには、すぐに正面を見るような習慣が生まれる。従って、この光照射機能をマニュアル等で説明しなくても、運転者自ら学習していくことができる。
【００４３】
また、運転者は、コンソール部８０にバッグ等の持ち物を置いたりして、走行中にコンソール部８０に視線を移すことがある。こうしたケースにおいても、脇見運転となってしまうが、コンソール照射ランプ６１ｇが点灯してコンソール部８０に置かれた持ち物、あるいはコンソールボックス８１正面壁を照射するため、運転者の注意をひくことができる。この場合においても、足元照射ランプ６１ａ，６１ｂ，６１ｃと同様に、運転者に対して先行車両のストップランプの点灯をイメージさせることができ、運転者を正面に向かせることができる。
【００４４】
また、運転者は、走行中に、中央操作パネル７４に設けられた操作スイッチ（例えば、オーディオやエアコン等の操作スイッチ）やシガレットライター等を操作することがある。こうしたケースにおいても、脇見運転となってしまうが、中央パネル表示ランプ６１ｆが点灯してその表示プレートの表示文字（例えば、「前車接近」）を浮き立たせるため、運転者を正面に向かせることができる。
【００４５】
また、運転者は、車両走行中において、左右方向に横に視線を向けることがある。こうしたケースにおいても、脇見運転となってしまうが、サイドランプ６１ｄ，６１ｅが点灯して、運転者に注意を与えることができる。また、この場合、他のランプ６１ａ，６１ｂ，６１ｃ，６１ｆ，６１ｇの照射も同時に行われることから、サイドランプ６１ｄ，６１ｅの点灯を見ただけでも、先行車両が接近していると判断するようになる。
【００４６】
従って、運転者は、脇見運転をしている場合においてのみ、こうした脇見警告装置６０の作動を認識することができるため、正面を見て運転している場合には、その作動に気がつかない。つまり、運転者が正面を向いて運転していれば問題にならない程度の車間距離であれば、運転者に過剰な警告をしないようにしている。
【００４７】
こうした脇見警告装置６０の作動は、衝突予測時間Ｔが第２基準時間Ｔ２以下のあいだ継続され、先行車両との車間距離が広がって衝突予測時間Ｔが第２基準時間Ｔ２よりも長くなると（Ｓ１９：ＮＯ）、停止される。
【００４８】
一方、脇見警告装置６０が作動している間に、更に、先行車両との車間距離が短くなって、衝突予測時間Ｔが第１基準時間Ｔ１以下にまで低下すると、ステップＳ１７の判断は「ＹＥＳ」となり、今度は、ステップＳ２０の処理に移行する。
【００４９】
このステップＳ２０においては、脇見警告装置６０の作動だけでなく、障害警告装置５０を作動、つまり、警告表示ランプ５１および警告ブザー５２を作動させる。
従って、運転者に対して確実に注意喚起することができる。
この結果、運転者は先行車両との衝突を回避することができる。そして、先行車両との車間距離が広がって衝突予測時間Ｔが第１基準時間Ｔ１より長くなれば（Ｓ１７：ＮＯ）、警告表示ランプ５１と警告ブザー５２の作動が停止され、更に、衝突予測時間Ｔが第２基準時間Ｔ２より長くなれば（Ｓ１８：ＮＯ）、脇見警告装置６０の作動も停止される。
【００５０】
以上説明した本実施形態の車両用警告装置によれば、障害の発生の可能性がある場合には、その可能性が低い段階で脇見警告装置６０を作動させて、脇見をしている運転者に警告して正面を向かせるようにする。この場合、脇見警告装置６０は、正面を見ている運転者にとっては視認できず、脇見をしている場合にのみ視認できる位置で警告するため、正面を向いている運転者にとって何ら煩わしいものとはならない。また、脇見をしている運転者にとっては、先行車両の接近を早めに知ることができる。
一方、障害の発生の可能性が高い場合には、運転者に対して確実に注意喚起する。
【００５１】
このように、本実施形態の車両用警告装置によれば、正面を向いている運転者にとっては必要以上に早いタイミングでの警告を行わす、脇見運転者に対しては早めに警告することで、運転者の状況に応じた適正なタイミングの注意喚起を行うことができる。しかも、運転者の状況を検知するカメラや高度な画像処理装置といった大掛かりなシステムを必要とせず、簡単な電気配線により低コストにて実施することができる。
また、光照射器１６の各ランプに指向性を設けて、後部座席の乗員には脇見警告を認識できないようにしているため、乗員に不安感を与えない。
【００５２】
以上、本実施形態の車両用警告装置について説明したが、本発明は上記実施形態に限定されるものではなく、本発明の目的を逸脱しない限りにおいて種々の変更が可能である。
【００５３】
例えば、脇見警告装置６０の各ランプは、本実施形態の取り付け位置に限らず任意の位置（領域Ａ，Ｂを除く）に設けることができ、その数も自由に設定することができる。また、運転者の脇見頻度の高い位置に脇見警告ランプをカスタマイズして取り付けてもよい。例えば、オーディオ操作の頻度が高い運転者の車両に対しては、オーディオ操作スイッチ近傍に接着テープ等の固定手段で脇見警告ランプを固定してもよい。この場合、図１に示す接続端子ｔ１（またはｔ２）を使って、脇見警告ランプの配線コードを接続すればよい。
【００５４】
また、脇見警告装置は、警告位置毎に光源を設けるのではなく、共通の光源から光ファイバにより複数の脇見位置に光を導くようにしてもよい。
例えば、図７に示す脇見警告装置１００のように、光源１０１を収納した光源ボックス１０２に複数の光ファイバ１０３を接続し、この光ファイバ１０３の先端に設けた光照射ヘッド１０４を車両内の任意の脇見警告位置に配置するようにしてもよい。この場合、光源１０１の光が効率よく光ファイバ１０３に送られるように反射板１０５を設けるとよい。また、光源１０１の発光色を赤色、あるいは光照射ヘッド１０４のレンズを赤色にして赤色光を照射するようにするとよい。
この脇見警告装置１００によれば、光源１０１の数に対して点灯箇所を増すことができる。また、光ファイバ１０３を用いているため、照射部における光の指向性をつけることも容易となる。
【００５５】
また、本実施形態においては、衝突予測時間に基づいて自車両の走行上における障害発生の可能性を判断しているが、例えば、道路上における車両の走行位置を検出し、車両の道路からの逸脱レベルに応じて障害発生の可能性レベルを判定してもよい。この場合、カメラにより車両前方を撮像して左右の白線を認識し、左右白線間の中央位置となる仮想中央線（道路中央線）に対する車両走行位置の離れ度合いから、障害発生の可能性を脇見警告レベルと障害発生警告レベルとに分けて判定するようにすればよい。例えば、車両の重心位置が仮想中央線に対して第１基準距離以上離れたときに脇見警告を行い、第１基準距離よりも大きな第２基準距離以上離れたときに障害発生警告を行うようにする。
【００５６】
また、このようなレーン逸脱判定は、カメラによる撮像に代えて、ＧＰＳ信号とナビゲーションシステムの地図情報に基づいて行っても良い。
更に、障害発生の可能性判断の例として、例えば、ナビゲーションシステムの地図情報に危険路情報（急カーブ場所などの情報）を付加しておき、車両が危険区域に進入したときに、その進入度合いによって脇見警報、障害発生警告を分けて行うようにしてもよい。
【図面の簡単な説明】
【００５７】
【図１】本発明の実施形態に係る車両用警告装置のシステム構成図である。
【図２】光照射器の取り付け位置を表す車室内の斜視図である。
【図３】運転者が正面（中心位置Ｏ）と同時に視認できる範囲を示す説明図である。
【図４】足元照射ランプの照射状態を示す説明図である。
【図５】コンソール照射ランプの照射状態を示す説明図である。
【図６】ＥＣＵが実施する走行障害警告制御ルーチンを表すフローチャートである。
【図７】脇見警告装置の変形例を表す説明図である。
【符号の説明】
【００５８】
２０…電子制御ユニット（ＥＣＵ）、３０…レーダセンサ、４０…車速センサ、５０…障害警告装置、６０，１００…脇見警告装置、６１…光照射器、６１ａ，６１ｂ，６１ｃ…足元照射ランプ、６１ｄ，６１ｅ…サイドランプ、６１ｆ…中央パネル表示ランプ、６１ｇ…コンソール照射ランプ、７０…インストルメントパネル、７２…前方ピラー、７４…中央操作パネル、８０…コンソール部、８１…コンソールボックス、１０３…光ファイバ。
【図１】
0004665841.tif 000002
【図２】
0004665841.tif 000003
【図３】
0004665841.tif 000004
【図４】
0004665841.tif 000005
【図５】
0004665841.tif 000006
【図６】
0004665841.tif 000007
【図７】
0004665841.tif 000008